(57)【要約】【課題】  シールカバーを外す際の操作がスムーズに行える遊技機の基板ケースを提供すること。【解決手段】  回路基板１８を収容する基板ケースＡを、ケース本体１０の本体側突出片１３とケースカバー２０のカバー側突出片２２との間に、切断部材３１と、回転押圧部材３２とを設置するとともに、本体側突出片１３とカバー側突出片２２とに封印シール３５を掛け渡して貼り付け、その状態の封印シール３５をシールカバー３７で覆って構成した。また、シールカバー３７に、回転押圧部材３２の先端部に係合する係合部３８を設けて、シールカバー３７を取り外すときに、回転押圧部材３２が回転して、切断部材３１を本体側突出片１３とカバー側突出片２２との間から外部に押し出して、封印シール３５を切断するようにした。【選択図】  図２
2014083056.tif 000002
【特許請求の範囲】
【請求項１】
ケース本体と、前記ケース本体に着脱可能なケースカバーとを備え、内部に回路基板が収容される遊技機の基板ケースにおいて、
前記ケース本体の一方の端部に形成された本体側突出片と、
前記本体側突出片に対向するようにして前記ケースカバーの一方の端部に形成されたカバー側突出片と、
前記本体側突出片と前記カバー側突出片との間と、その一方側の外部との間で移動可能に設置された切断部材と、
前記本体側突出片と前記カバー側突出片との間に位置する基端部を中心に回転可能に配置され、回転して先端側部分が前記本体側突出片と前記カバー側突出片との間から一方の外部側に移動するときに、前記切断部材を押圧して外部に突出させる回転押圧部材と、
シール部材に、ＩＣチップと、アンテナ部と、ＩＣチップとアンテナ部とを接続する接続部とからなるＩＣタグを設けて構成され、前記本体側突出片と前記カバー側突出片との一方側の端部に掛け渡されて貼り付けられて、前記切断部材が前記本体側突出片と前記カバー側突出片との間から外部に突出するときに、前記接続部が切断される封印シールと、
前記本体側突出片と前記カバー側突出片とを前記封印シールとともに覆って前記ケース本体と前記ケースカバーとを分離不能にした状態から、前記切断部材の移動方向と同じ方向に沿って一方側に移動することにより、前記回転押圧部材の先端部に係合して前記回転押圧部材を回転させて前記切断部材を外部に突出させるシールカバーと
を備えたことを特徴とする遊技機の基板ケース。
【請求項２】
前記本体側突出片または前記カバー側突出片にレール部が形成され、前記切断部材が前記レール部に沿って移動可能になっている請求項１に記載の遊技機の基板ケース。
【請求項３】
前記切断部材が、前記レール部に支持されて移動する支受部と、前記回転押圧部材に押圧される被押圧部と、前記支受部と前記被押圧部との間に位置する刃部とで構成されている請求項２に記載の遊技機の基板ケース。
【請求項４】
前記本体側突出片と前記カバー側突出片との間に支軸が設置され、前記回転押圧部材の基端部が、前記支軸に回転可能に組み付けられている請求項１ないし３のうちのいずれか一つに記載の遊技機の基板ケース。
【請求項５】
前記ケース本体または前記ケースカバーに、前記シールカバーを前記切断部材の移動方向と同じ方向に移動させるガイド部が設けられている請求項１ないし４のうちのいずれか一つに記載の遊技機の基板ケース。
【発明の詳細な説明】
【技術分野】
【０００１】
本発明は、遊技機を制御するための回路基板を収容する遊技機の基板ケースに関する。
【背景技術】
【０００２】
パチンコ機等の遊技機は、回路基板に備わった記憶部に記憶されたプログラムやデータに基づいてゲームが進行するようになっており、この回路基板は基板ケースの中に収容されて遊技機の内部に設置されている。また、記憶部には法律により定められた当たりの確率を決定するデータも記憶されており、これを、勝手に変更することは違法になる。このため、基板ケースには、封印部材が設けられ、基板ケースを開いた場合には、封印部材の状態により、封印を解除したことが分かるようになっている。この基板ケースは、各遊技機ごとに設置されているため、封印が解除されているか否かを確認する検査を目視によって行うことは作業が極めて煩雑なものになる。このため、従来から、専用の読み取り装置を用いて非接触による検査が行われている（例えば、特許文献１参照）。
【０００３】
この基板ケースは、ベース側貼付部を備えたボックスベースと、カバー側貼付部を備えたボックスカバーとを備えており、ベース側貼付部とカバー側貼付部との間に切断部材が挿入されている。そして、ベース側貼付部とカバー側貼付部を跨いで、ＩＣチップ、アンテナ部および接続部を備えた封印シールを貼着し、その上にシールカバー体を被せて封印シールを覆っている。また、切断部材の両側には、シールカバー体の両内側面に係合する係止爪が設けられており、シールカバー体をスライドさせてベース側貼付部とカバー側貼付部から外すと、切断部材がシールカバー体と一緒に移動して、封印シールの切断部を切断する。これによって、ＩＣチップに記憶されたデータが読み取り不能になって、封印が解除されたことを認識できる。
【先行技術文献】
【特許文献】
【０００４】
【特許文献１】特開２０１０−１１５２２２号公報
【発明の概要】
【０００５】
しかしながら、前述した基板ケースでは、切断部材の両側に設けられた係止爪が、シールカバー体の両内側面に係合するため、シールカバー体を取り外す際に、シールカバー体を、傾けた状態でスライドさせると、切断部材の一方のみがシールカバー体に引っ掛かってガタついたり、スライドさせ難くなったりすることがある。このため、従来の基板ケースでは、シールカバー体をベース側貼付部とカバー側貼付部とに対して真っ直ぐにスライドさせるように移動させなければならず、操作性がよいものではなかった。
【０００６】
本発明は、前述した問題に対処するためになされたもので、その目的は、シールカバーを外す際の操作がスムーズに行える遊技機の基板ケースを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の基板ケースの構成上の特徴は、ケース本体（１０）と、ケース本体に着脱可能なケースカバー（２０）とを備え、内部に回路基板（１８）が収容される遊技機の基板ケース（Ａ）において、ケース本体の一方の端部に形成された本体側突出片（１３）と、本体側突出片に対向するようにしてケースカバーの一方の端部に形成されたカバー側突出片（２２）と、本体側突出片とカバー側突出片との間と、その一方側の外部との間で移動可能に設置された切断部材（３１）と、本体側突出片とカバー側突出片との間に位置する基端部（３２ａ）を中心に回転可能に配置され、回転して先端側部分（３２ｂ）が本体側突出片とカバー側突出片との間から一方の外部側に移動するときに、切断部材を押圧して外部に突出させる回転押圧部材（３２）と、シール部材（３５ａ）に、ＩＣチップ（３６ａ）と、アンテナ部（３６ｂ）と、ＩＣチップとアンテナ部とを接続する接続部（３６ｃ）とからなるＩＣタグ（３６）を設けて構成され、本体側突出片とカバー側突出片との一方側の端部に掛け渡されて貼り付けられて、切断部材が本体側突出片とカバー側突出片との間から外部に突出するときに、接続部が切断される封印シール（３５）と、本体側突出片とカバー側突出片とを封印シールとともに覆ってケース本体とケースカバーとを分離不能にした状態から、切断部材の移動方向と同じ方向に沿って一方側に移動することにより、回転押圧部材の先端部（３３ｂ）に係合して回転押圧部材を回転させて切断部材を外部に突出させるシールカバー（３７）とを備えたことにある。
【０００８】
本発明に係る遊技機の基板ケースでは、回路基板を収容するケース本体とケースカバーとのそれぞれの一方側の端部に、本体側突出片とカバー側突出片とが対向して形成されている。そして、本体側突出片とカバー側突出片との間に、切断部材と回転押圧部材が配置され、切断部材は、基端部を中心に回転する回転押圧部材に押圧されて、本体側突出片とカバー側突出片との間から一方側の外部に突出する。また、回転押圧部材の先端部は、シールカバーに係合するように構成されている。このためシールカバーが本体側突出片とカバー側突出片とを封印シールとともに覆った状態から、シールカバーを一方側にスライドさせて取り外すと、回転押圧部材が回転して、切断部材は外部に突出する。
【０００９】
この場合、回転押圧部材は、シールカバーの一方側にだけ係合するため、シールカバーが多少傾いた状態で移動しても、回転押圧部材はスムーズに回転して、切断部材を本体側突出片とカバー側突出片との間から外部に突出させて封印シールを切断することができる。このため、シールカバーを取り外す際に、傾き具合に注意しながらシールカバーを引っ張る必要がなくなり、操作性が向上する。また、切断部材は、回転押圧部材の押圧によって移動するが、切断部材とシールカバーとの移動方向が同じ方向になるため、シールカバーの移動に追従して切断部材はスムーズに移動するようになる。また、回転押圧部材の先端部は可撓性を備えていることが好ましい。これによると、シールカバーの一方側への移動に追従して、回転押圧部材が回転する際に、回転押圧部材の先端部に無理な力が加わることを防止できる。
【００１０】
また、本発明に係る遊技機の基板ケースの他の構成上の特徴は、本体側突出片またはカバー側突出片にレール部（１４）が形成され、切断部材がレール部に沿って移動可能になっていることにある。本発明によると、切断部がレール部に沿った正確な軌道で移動するようになるため、接続部の適正部分を確実に切断することができる。
【００１１】
また、本発明に係る遊技機の基板ケースのさらに他の構成上の特徴は、切断部材が、レール部に支持されて移動する支受部（３１ａ）と、回転押圧部材に押圧される被押圧部（３１ｃ）と、支受部と被押圧部との間に位置する刃部（３１ｂ）とで構成されていることにある。本発明によると、切断部材が、レール部に支持されて一方側に移動する支受部と、回転押圧部材に押圧されて一方側に移動する被押圧部とを備えているため、支受部と被押圧部とが平行して一方側に移動するようになる。そして、刃部が支受部と被押圧部との間に位置するため、刃部は傾いたりぶれたりすることなく安定した状態で移動するようになり、接続部の適正部分を正確に切断することができる。
【００１２】
また、本発明に係る遊技機の基板ケースのさらに他の構成上の特徴は、本体側突出片とカバー側突出片との間に支軸（１５）が設置され、回転押圧部材の基端部が、支軸に回転可能に組み付けられていることにある。本発明によると、回転押圧部材を正確な軌道で回転可能にすることができる。
【００１３】
また、本発明に係る遊技機の基板ケースのさらに他の構成上の特徴は、ケース本体またはケースカバーに、シールカバーを切断部材の移動方向と同じ方向に移動させるガイド部（２３，２４）が設けられていることにある。本発明によると、シールカバーを取り外すときのシールカバーの移動方向と切断部材が移動する方向とが同じになるため、シールカバーと切断部材とが平行して移動するようになる。このため、シールカバーを操作する際に、切断部材に係る抵抗が少なくなり、切断部材がスムーズに移動するようになる。
【図面の簡単な説明】
【００１４】
【図１】本発明の一実施形態に係る基板ケースを示した斜視面である。
【図２】基板ケースの分解斜視図である。
【図３】封印シールを示した正面図である。
【図４】封印シールが貼り付けられた本体側突出片とカバー側突出片とにシールカバーを取り付ける状態を示した斜視図である。
【図５】図４を上方から見た状態を示した断面図である。
【図６】封印シールが貼り付けられた本体側突出片とカバー側突出片とにシールカバーを取り付けた状態を示した斜視図である。
【図７】図６を上方から見た状態を示した断面図である。
【図８】封印シールが貼り付けられた本体側突出片とカバー側突出片からシールカバーを取り外す状態を示した斜視図である。
【図９】図８を上方から見た状態を示した断面図である。
【図１０】シールカバーを取り外して封印シールを切断した状態を示した斜視図である。
【発明を実施するための形態】
【００１５】
以下、本発明の一実施形態に係る遊技機の基板ケースを図面を用いて説明する。図１は同実施形態に係る基板ケースＡを示しており、図２は基板ケースＡを分解した状態を示している。この基板ケースＡは、ケース本体１０と、ケース本体１０に着脱可能なケースカバー２０とを備えており、内部に、回路基板１８が収容されている。この基板ケースＡは、パチンコ機（図示せず）に組み込まれるもので、回路基板１８にはパチンコ機に備わっている各装置を制御するためのプログラムや、当たりの確率を決定するためのデータ等が記憶された記憶部を含む回路や電子部品が備わっている。
【００１６】
ケース本体１０は、一方の端面および上面が開放された箱状部１１の内部に基板収容部１２を形成するとともに、一方の端部の中央部分に本体側突出片１３を形成して構成されている。以下、前述した一方の端面側や一方の端部側を前部として説明する。箱状部１１は、矩形の底部１１ａと、底部１１ａの左右の縁部から上方に延びる側壁部１１ｂ，１１ｃと、底部１１ａの後部の縁部から上方に延びる後壁部１１ｄとで構成されており、側壁部１１ｂ，１１ｃの前端部は、底部１１ａの前端部よりも前方に延びている。
【００１７】
基板収容部１２は、底部１１ａの上面における側壁部１１ｂ，１１ｃの近傍に、それぞれ側壁部１１ｂ，１１ｃと平行する仕切り壁１２ａ（一方しか図示せず）を形成するとともに、底部１１ａの上面における前端に、両仕切り壁１２ａの前端を連結する仕切り壁１２ｂを形成することによって構成されている。仕切り壁１２ａは、それぞれ側壁部１１ｂ，１１ｃよりも高さが低くなっており、底部１１ａの前端から後端にかけて形成されている。また、仕切り壁１２ｂは、仕切り壁１２ａよりも高さが僅かに低くなっており、その左右方向の中央部分は、両側部分よりもさらに低くなった段違いの壁部で構成されている。
【００１８】
仕切り壁１２ａ，１２ｂと後壁部１１ｄとで囲まれる部分は、回路基板１８を設置できる大きさに設定されており、底部１１ａの上面における基板収容部１２の四隅の近傍部分には、上方に延びる円筒状の固定用突起１２ｃがそれぞれ形成されている。一方、回路基板１８は基板収容部１２の形状に合った矩形に形成されており、その四隅の近傍部分には、固定用突起１２ｃが挿通できる挿通穴１８ａが形成されている。回路基板１８は、挿通穴１８ａに固定用突起１２ｃを挿通させ、固定用突起１２ｃの上部にねじ（図示せず）を螺合させることによって基板収容部１２に設置されている。
【００１９】
本体側突出片１３は、仕切り壁１２ｂの中央の低くなった部分の上縁部から前方に突出しており、前後よりも左右に長い板状の突出部で構成されている。この本体側突出片１３の前端部は、側壁部１１ｂ，１１ｃの前端部と同じ程度の前方位置まで延びている。また、本体側突出片１３の左右両側および前部の縁部からは上方に延びる低い壁部１３ａが形成されており、その左右両側部分の前部側部分と前部とは、左右両側部分の後部側部分よりも低くなった低壁部１３ｂで構成されている。そして、低壁部１３ｂの左右両側面の前部側部分には、後方から前方に行くほど低壁部１３ｂの左右両側の幅が小さくなるようにする傾斜面１３ｃが形成されている。
【００２０】
また、低壁部１３ｂの前部における左右方向の中央よりもやや左側に一部切欠かれた部分が形成され、その部分に平行して後方に延びる一対の突条からなるレール部１４が形成されている。さらに、本体側突出片１３の上面における左右方向の中央の前部側部分に、上方に延びる円筒状の支軸１５が形成されている。また、基板収容部１２の仕切り壁１２ｂの前面両側における側壁部１１ｂ，１１ｃの近傍には、回路基板１８をパチンコ機に備わっている他の機器に接続するための一対のコネクタ１６ａ，１６ｂが取り付けられている。このコネクタ１６ａ，１６ｂは、後部よりも前部が高くなるように前後方向の中央に段差が形成されることによって段違いに形成され、低くなった後部が仕切り壁１２ｂを貫通して回路基板１８に接続されている。
【００２１】
ケースカバー２０は、ケース本体１０の基板収容部１２を覆うことのできる蓋部２１の前端中央からカバー側突出片２２を前方に向かって突出させるとともに、蓋部２１の前端両側から一対のガイド突出部２３，２４を前方に向かって突出させて構成されている。ガイド突出部２３，２４は、本発明に係るガイド部を構成する。蓋部２１は、天井部２１ａと、天井部２１ａの外周縁部からそれぞれ下方に延びる前壁部２１ｂと、左右の側壁部２１ｃ（一方しか図示せず）と、後壁部（図示せず）とで構成されている。天井部２１ａは、前部と右側部分とに細長い水平面部分が形成され、後端に左右両側に延びる高さの高い壁状部分が形成され、前部、右側部分および後部を除いた大部分に後端の壁状部分よりも僅かに低い台状部分が形成された異形の段違い状に構成されている。
【００２２】
前壁部２１ｂは、蓋部２１の前端におけるガイド突出部２３，２４が位置する部分を除いた部分に形成されており、その左右方向の中央の下部側部分が切り欠かれて、コ字状に形成されている。そして、前壁部２１ｂの前面左側部分におけるガイド突出部２４の近傍には、上下に延びる位置決め用の細い突起２５が形成されている。側壁部２１ｃと、後壁部とは、箱状部１１の内部に嵌合できる大きさに形成されており、側壁部２１ｃのそれぞれの後端部と後壁部の左右両端部との間には、仕切り壁１２ａを挿入できるスリット（図示せず）が形成されている。また、側壁部２１ｃの前後方向の中央よりもやや後方部分には、下縁部から上方に延びたのちに、屈曲して前方に延びるＬ形の溝２１ｄがそれぞれ形成されている。
【００２３】
カバー側突出片２２は、前壁部２１ｂの左右方向の中央部分の下縁部から前方に突出しており、前後よりも左右に長い板状の突出部で構成されている。このカバー側突出片２２の左右両側および前部の縁部からは下方に延びる低い壁部２２ａが形成されており、その前面部の下縁部における左右方向の中央よりもやや右側部分に切欠き部２２ｂが形成されている。そして、壁部２２ａの左右両側面の前部側部分には、後方から前方に行くほど壁部２２ａの左右両側の幅が小さくなるようにする傾斜面２２ｃが形成されている。また、カバー側突出片２２の左右方向の中央の前部側部分には上下に貫通するねじ挿通穴１５ａが形成されている。
【００２４】
ガイド突出部２３，２４は、それぞれ蓋部２１の前端両側部分を前方に向かって延ばした箱状に形成されており、前面下部にコネクタ支持枠２３ａ，２４ａが形成され、下面におけるコネクタ支持枠２３ａ，２４ａの後方部分は開放されている。コネクタ支持枠２３ａ，２４ａは、前後に貫通し左右に長い貫通孔を備えた短い筒状に形成されており、コネクタ支持枠２３ａは、コネクタ１６ａの前部側部分を挿通させて支持することができ、コネクタ支持枠２４ａは、コネクタ１６ｂの前部側部分を挿通させて支持することができる。
【００２５】
このように構成されたケースカバー２０は、蓋部２１の側壁部２１ｃを、側壁部１１ｂ，１１ｃと仕切り壁１２ａとの間に挿入し、後壁部の左右両端に形成されたスリットに仕切り壁１２ａを挿入させてケース本体１０に組み付けられる。なお、図示は省略しているが、ケース本体１０の側壁部１１ｂ，１１ｃの内面における前後方向の中央よりもやや後方部分には、ケースカバー２０の溝２１ｄに係合する突起がそれぞれ形成されている。このため、ケース本体１０の上方にケースカバー２０を位置させ、突起に溝２１ｄの開放側部分を合わせるようにして、ケースカバー２０を下降させて突起に溝２１ｄを係合させたのちに、ケース本体１０に対してケースカバー２０を後方にスライドさせることにより、ケース本体１０にケースカバー２０を組み付けることができる。
【００２６】
この場合、コネクタ支持枠２３ａ，２４ａの後部側から前方に向かってコネクタ１６ａ，１６ｂの前部が挿し込まれ、コネクタ１６ａ，１６ｂの前端部はコネクタ支持枠２３ａ，２４ａの前端から露出する。この場合、ケースカバー２０の前壁部２１ｂは、ケース本体１０の仕切り壁１２ｂの前面に重なる。また、本体側突出片１３の上方にカバー側突出片２２が重なり、本体側突出片１３とカバー側突出片２２との境界部分の前部には、本体側突出片１３の壁部１３ａに低壁部１３ｂを形成したことによる隙間が形成される。さらに、本体側突出片１３の上面に設けられた支軸１５の上方には、カバー側突出片２２に設けられたねじ挿通穴１５ａが位置するようになる。
【００２７】
また、基板ケースＡには、切断部材３１、回転押圧部材３２、封印シール３５およびシールカバー３７も備わっている。切断部材３１は、支受部３１ａ、刃部３１ｂおよび被押圧部３１ｃからなっており、支受部３１ａをレール部１４に沿わせることによって、前後方向に移動可能になっている。支受部３１ａは、左右の幅よりも高さ方向の長さが長くなって前後方向に延びる棒状に形成されており、下部がレール部１４内に位置している。
【００２８】
刃部３１ｂ（図５参照）は、支受部３１ａの右側面の前部側上部から右方向に延びており、前端部が左右に凹部と凸部とが並んだ薄い鋭利な縁部で構成されている。また、被押圧部３１ｃは、刃部３１ｂの右端側に連続して形成されており、前後よりも左右に長くなっている。そして、被押圧部３１ｃの平面視による中央には左右に長い長円形の長穴３１ｄが上下に貫通しており、これによって被押圧部３１ｃは環状に形成されている。また、刃部３１ｂの後縁部は湾曲した凹状に形成され、被押圧部３１ｃの後縁部の左側には、左側が前方に位置し右側が後方に位置する傾斜部が設けられている。この切断部材３１は、支受部３１ａがレール部１４に沿って移動することにより、刃部３１ｂと被押圧部３１ｃを、本体側突出片１３とカバー側突出片２２との間と、その前方の外部との間で移動させる。
【００２９】
回転押圧部材３２は、基端部３２ａと、押圧部３２ｂと、先端係合部３３と、中央係合部３４とで構成されている。基端部３２ａは、内部に支軸１５を挿入できる円筒形に形成されており、回転押圧部材３２が回転する際に、回転の中心となる部分である。また、前述した切断部材３１の刃部３１ｂの後縁部は、基端部３２ａの前部側部分が入り込める形状に形成されており、切断部材３１が基端部３２ａに当接する位置が切断部材３１の最も後方の位置となる。このように、切断部材３１の凹部に基端部３２ａを位置させることにより、本体側突出片１３とカバー側突出片２２との前後方向の長さを短くすることができる。
【００３０】
押圧部３２ｂ（図５参照）は、基端部３２ａの下部後側部分から右側に向かって延びる平面視が略くの字状の細長い板状に形成されており、基端部３２ａから右側やや後方に延び先細りになったのちに、屈曲して幅を広げながら右前方に延びている。この押圧部３２ｂの前縁部中央部分は、回転することにより被押圧部３１ｃの後縁部を前方に押すことのできる傾斜部で構成されている。また、押圧部３２ｂの右側部分は、被押圧部３１ｃの右側部を覆うように屈曲しており、その後縁部は、回転押圧部材３２が後方に位置したときに、本体側突出片１３の壁部１３ａの段部の近傍に位置するように形成されている。
【００３１】
先端係合部３３は、押圧部３２ｂの右端側に形成されており、平面視による形状が開放側を後方に向けたコ字状になっている。この先端係合部３３は、本体側突出片１３とカバー側突出片２２との右側外部に突出しており、前後方向に真っ直ぐに延びるガイド片３３ａと、ガイド片３３ａと略平行して配置された可撓片３３ｂと、ガイド片３３ａと可撓片３３ｂとの前端部を連結する連結片３３ｃとからなっている。また、可撓片３３ｂは、前端からガイド片３３ａにやや近づきながら後方に延びたのちに幅を広げながら右側に屈曲している。このため、可撓片３３ｂの右縁部は、後端部が右側に突出し、その前部側に滑らかに傾斜しながら左側に窪んだ凹部が形成された曲線状に形成されている。
【００３２】
中央係合部３４（図５参照）は、基端部３２ａの上部から押圧部３２ｂの上面で押圧部３２ｂと一体になって右方向に延びており、細長い連結片３４ａと、連結片３４ａの先端に形成された板状の取付部３４ｂと、取付部３４ｂの下面に形成されたガイド突起３４ｃ（図１参照）とで構成されている。連結片３４ａは、基端部３２ａから押圧部３２ｂの前縁部に沿って右方向に延びており、取付部３４ｂは連結片３４ａの先端から前方に延びる左右よりも前後に長い板状に形成されている。
【００３３】
この取付部３４ｂは押圧部３２ｂの左右方向の中央部分から前方に向かって突出しており、その前端は、押圧部３２ｂの右側部分の前端よりも僅かに後方に位置している。そして、ガイド突起３４ｃは、切断部材３１の長穴３１ｄに上方から入り込んで、長穴３１ｄの左右方向に移動可能になっている。このため、回転押圧部材３２の先端部分が後方に位置した状態（図５参照）から、回転押圧部材３２が支軸１５を中心として回転して先端部分が前方に移動すると、切断部材３１は、押圧部３２ｂに押されて前方に移動して刃部３１ｂは本体側突出片１３とカバー側突出片２２との間から前方の外部に突出する。
【００３４】
この場合、切断部材３１は、支受部３１ａがレール部１４に沿うことによって、刃部３１ｂを進行方向に直交させた状態で前進する。また、ガイド突起３４ｃは、長穴３１ｄ内の右側から左側に向かって移動し、これによって、回転押圧部材３２は回転可能になる。すなわち、回転押圧部材３２は、ガイド突起３４ｃが、長穴３１ｄの右端に当接する位置と左端に当接する位置との間で移動できる範囲に応じて回転できる。また、先端係合部３３は円弧を描くように前方に移動して、その後端部が本体側突出片１３とカバー側突出片２２との前端程度に位置するまで前進できる。さらに、取付部３４ｂの左右の幅および厚みは、切欠き部２２ｂを通過できる長さに設定されており、取付部３４ｂは、切欠き部２２ｂから外部に突出できる。
【００３５】
このように構成された切断部材３１および回転押圧部材３２を、本体側突出片１３とカバー側突出片２２との間に取り付ける場合には、まず、ケースカバー２０が組み付けられていない状態のケース本体１０の本体側突出片１３におけるレール部１４に支受部３１ａを取り付けることによって切断部材３１を本体側突出片１３の上面前部側に設置する。ついで、基端部３２ａ内に支軸１５合わせるとともに、ガイド突起３４ｃを長穴３１ｄ内に合わせるようにして、回転押圧部材３２を上方から下降させて、切断部材３１に組み付けた状態で本体側突出片１３に設置する。このとき、切断部材３１の後部が基端部３２ａに当接するようにする。
【００３６】
つぎに、前述した方法で、ケース本体１０にケースカバー２０を組み付ける。そして、カバー側突出片２２に形成されたねじ挿通穴１５ａに、ねじ１５ｂを通し、そのねじ１５ｂを支軸１５の上部に螺合することにより、切断部材３１と回転押圧部材３２とが設置されたケース本体１０と、ケースカバー２０とが組み付けられる。そして、ケース本体１０とケースカバー２０との前端で互いに対向する本体側突出片１３とカバー側突出片２２との上面、前面および下面にわたって封印シール３５を貼り付ける。
【００３７】
この封印シール３５は、図３に示したように、略矩形のシール部材３５ａに、ＩＣタグ３６を埋め込んで構成されている。シール部材３５ａは、可撓性を有する樹脂フィルムからなるベースフィルムの裏面に粘着層を形成して構成されており、この粘着層にＩＣタグ３６が埋め込まれている。ＩＣタグ３６は、ＩＣチップ３６ａと、アンテナ３６ｂと、ＩＣチップ３６ａとアンテナ３６ｂとを接続する接続部３６ｃとで構成されている。そして、ＩＣチップ３６ａは、記憶部を備えた集積回路からなっており、記憶部には識別情報が記憶されている。この識別情報は、アンテナ３６ｂから電波として発信され、読み取り装置で受信することにより、非接触で読み取ることができる。
【００３８】
また、接続部３６ｃを切断することにより、ＩＣチップ３６ａとアンテナ３６ｂとの接続が遮断されて電波の発信ができなくなる。このＩＣタグ３６は、ＩＣチップ３６ａをシール部材３５ａの中央に位置させて、シール部材３５ａに対して斜めに傾斜した状態で配置されている。そして、図２に示したように、側方から見た状態でコ字状になるように折り曲げて、本体側突出片１３とカバー側突出片２２とに貼り付けられる。図４に示したように、封印シール３５を本体側突出片１３とカバー側突出片２２とに貼り付けるときには、接続部３６ｃが、本体側突出片１３とカバー側突出片２２との隙間の前端を横切るようにする。これによって、切断部材３１が前方に移動したときに、刃部３１ｂによって接続部３６ｃは切断される。
【００３９】
シールカバー３７は、後面が開放された左右に長い箱形に形成されており、封印シール３５が貼り付けられた本体側突出片１３とカバー側突出片２２とを前方から覆ってケースカバー２０のガイド突出部２３，２４間に挿入できる大きさに形成されている。すなわち、シールカバー３７は、図４および図５に示したように、前面部３７ａ、前面部３７ａの上下の縁部から対向して後方に延びる天井部３７ｂと底面部３７ｃ、および、前面部３７ａの左右の縁部から対向して後方に延びる側面部３７ｄ，３７ｅで構成されている。また、シールカバー３７の前部の左右両側には、それぞれ上下に延びる凹部３７ｆ，３７ｇが形成されている。
【００４０】
そして、側面部３７ｄの上下方向の中央部分には、上下に間隔を保って、後端から前部側に延びる一対のスリット３８ａ，３８ｂが形成されており、側面部３７ｄにおけるスリット３８ａ，３８ｂで挟まれた部分の内面後端に、突起からなる係合部３８が形成されている。この係合部３８は、上方から見た状態（図５の状態）で、後方から前方に行くほど左右の幅が大きくなるように左側の縁部が傾斜しており、前面は側面部３７ｄに直交する平面で構成されている。そして、この係合部３８は、シールカバー３７が本体側突出片１３とカバー側突出片２２とを覆ったときに、可撓片３３ｂの後端部に係合する。
【００４１】
すなわち、このシールカバー３７を、封印シール３５が貼り付けられた本体側突出片１３とカバー側突出片２２とに取り付ける場合には、図４および図５に示した状態から、シールカバー３７をガイド突出部２３，２４間に押し込んで、図６および図７に示した状態にする。この場合、シールカバー３７は、ガイド突出部２３，２４の内面に沿って移動していき、係合部３８が回転押圧部材３２の可撓片３３ｂに当接すると可撓片３３ｂがガイド片３３ａ側に撓んで、シールカバー３７は、さらに後方に移動できる。そして、係合部３８が可撓片３３ｂの後端部を越えたときに、可撓片３３ｂは元の状態に復元して係合部３８と可撓片３３ｂの後端部とが係合する。また、シールカバー３７の側面部３７ｅの内面後端部は、突起２５に当接することによって、適正位置に位置決めされる。これによって、図１に示した基板ケースＡが得られる。
【００４２】
つぎに、基板ケースＡを開封するときの動作について説明する。この場合、図６および図７に示した状態から、シールカバー３７を前方に引っ張って、図８および図９に示した状態にする。このとき、シールカバー３７の左右両側には、ガイド突出部２３，２４が位置しているため、シールカバー３７は、ガイド突出部２３，２４の内面にガイドされ、傾くことなく真っ直ぐに前方に移動する。また、シールカバー３７の係合部３８に可撓片３３ｂの後端部が係合しているため、回転押圧部材３２は、支軸１５を中心として、平面視で時計周り方向に回転する。この回転押圧部材３２の回転によって、切断部材３１は前方に押圧されて、本体側突出片１３とカバー側突出片２２との隙間の前部から外部に突出する。また、回転押圧部材３２の取付部３４ｂは、切欠き部２２ｂから外部に突出する。
【００４３】
さらに、回転押圧部材３２の先端係合部３３は、本体側突出片１３とカバー側突出片２２との隙間の右側から前側に回り込んで前方側の外部に突出する。これによって、封印シール３５は、刃部３１ｂによって接続部３６ｃを切断され、取付部３４ｂによって一部を貫通され、先端係合部３３によって右縁部側を引き裂かれて、図１０に示した状態になる。これによって、ＩＣチップ３６ａに記憶された識別情報は読み取り不可になる。また、封印シール３５を、さらに、本体側突出片１３とカバー側突出片２２との隙間に沿って切断することにより、ケース本体１０からケースカバー２０が取り外し可能になる。
【００４４】
以上のように、本実施形態に係る基板ケースＡでは、本体側突出片１３とカバー側突出片２２との間に、レール部１４に沿って移動する切断部材３１と、支軸１５を中心に回転することにより切断部材３１を押圧する回転押圧部材３２とが配置されている。また、回転押圧部材３２の先端に設けられた可撓片３３ｂは、封印シール３５が貼り付けられた本体側突出片１３とカバー側突出片２２とを覆うシールカバー３７の係合部３８に係合する。このため、シールカバー３７を前方にスライドさせて本体側突出片１３とカバー側突出片２２とから外すと、回転押圧部材３２が回転して、切断部材３１が外部に突出することにより、封印シール３５の接続部３６ｃが切断される。
【００４５】
このように、回転押圧部材３２は、シールカバー３７の一方側にだけ係合するため、シールカバー３７が多少傾いた状態で移動しても、回転押圧部材３２はスムーズに回転して、切断部材３１を本体側突出片１３とカバー側突出片２２との間から外部に突出させて封印シール３５の接続部３６ｃを切断することができる。このため、シールカバー３７を取り外す際に、傾き具合に注意しながらシールカバー３７を引っ張る必要がなくなり、操作性が向上する。また、回転押圧部材３２の可撓片３３ｂが可撓性を備えているため、シールカバー３７の取り外しができなくなったり、無理な力が加わって可撓片３３ｂが破損したりすることを防止できる。
【００４６】
また、切断部材３１がレール部１４に沿って移動するため、封印シール３５の接続部３６ｃを確実に切断することができる。さらに、回転押圧部材３２は、支軸１５を中心に回転するため正確な軌道で回転するようになり、これによって切断部材３１の押圧が正確になる。また、シールカバー３７を取り外す際に、シールカバー３７は、ガイド突出部２３，２４にガイドされて真っ直ぐに前方に移動するため、がたつくことなくスムーズに取り外すことができる。さらに、切断部材３１に長穴３１ｄを設け、回転押圧部材３２に長穴３１ｄに係合するガイド突起３４ｃを設けたため、回転押圧部材３２が回転できる角度を適正角度に制限することができる。
【００４７】
また、本発明に係る遊技機の基板ケースは、前述した実施形態に限定するものでなく、適宜変更することができる。例えば、前述した実施形態では、レール部１４を本体側突出片１３に設けているが、このレール部１４はカバー側突出片２２に設けてもよい。また、前述した実施形態では、回転押圧部材３２を支軸１５に組み付けているが、回転押圧部材３２と支軸１５とを一体に形成して、本体側突出片１３とカバー側突出片２２との間に回転可能に取り付けてもよい。また、本発明に係る遊技機の基板ケースのそれ以外の部分の構成についても本発明の技術的範囲内で適宜変更して実施することが可能である。
【符号の説明】
【００４８】
１０…ケース本体、１３…本体側突出片、１４…レール部、１５…支軸、１８…回路基板、２０…ケースカバー、２２…カバー側突出片、２３，２４…ガイド突出部、３１…切断部材、３１ａ…支受部、３１ｂ…刃部、３１ｃ…被押圧部、３２…回転押圧部材、３２ａ…基端部、３３…先端係合部、３３ｂ…可撓片、３５…封印シール、３５ａ…シール部材、３６…ＩＣタグ、３６ａ…ＩＣチップ、３６ｂ…アンテナ、３６ｃ…接続部、３７…シールカバー、３８…係合部、Ａ…基板ケース。
【図１】
2014083056.tif 000003
【図２】
2014083056.tif 000004
【図３】
2014083056.tif 000005
【図４】
2014083056.tif 000006
【図５】
2014083056.tif 000007
【図６】
2014083056.tif 000008
【図７】
2014083056.tif 000009
【図８】
2014083056.tif 000010
【図９】
2014083056.tif 000011
【図１０】
2014083056.tif 000012